(57)【要約】【課題】複数の継手管の全てが筺体の下端に設けられた場合でも容易にエア抜きできる温水制御ユニットを提供する。【解決手段】ヒートポンプユニット１内で加熱された温水をハイドロユニット３に供給すると共に、ハイドロユニット３から流出した温水をヒートポンプユニット１内に戻す温水回路２を有する温水暖房システム１００のハイドロユニット３は、筺体３０と、筺体３０の下端に配置された継手管３０６〜３０９と、を有する。ラジエタ４等からの温水が流れる戻り配管２５が接続する継手管３０８とヒートポンプシステム１に戻る温水が流れる戻り配管２６が接続する継手管３０９とは、接続配管４１、配管接続部５２および接続配管４２によって接続され、接続配管４２の略水平部分は、筺体３０の上端のエア抜き管５０と接続されており、エア抜き管５０から配管内の空気を外部に排出できる。【選択図】図７
2011137604.tif 000002
【特許請求の範囲】
【請求項１】
ヒートポンプユニット内で加熱された温水を暖房端末に供給すると共に、前記暖房端末から流出した温水を前記ヒートポンプユニット内に戻す温水回路を有する温水暖房システムの温水制御ユニットであって、
前記温水回路の一部を構成する配管を収容する筺体と、
前記筺体の下端に配置され、前記ヒートポンプユニットからの温水を前記筺体内の温水回路に供給するための配管が接続される第１継手管と、
前記筺体の下端に配置され、前記筺体内の温水回路から前記暖房端末に温水を供給するための配管が接続される第２継手管と、
前記筺体の下端に配置され、前記暖房端末からの温水を前記筺体内の温水回路に供給するための配管が接続される第３継手管と、
前記筺体の下端に配置され、前記筺体内の温水回路から前記ヒートポンプユニットに温水を供給するための配管が接続される第４継手管と、を備え、
前記筺体内の温水回路は、
前記第１継手管と前記第２継手管との間に配置された第１配管と、
前記第３継手管と前記第４継手管との間に配置された第２配管とを有しており、
前記第１配管及び前記第２配管の少なくとも一方が、エア抜き部に接続されている
ことを特徴とする温水制御ユニット。
【請求項２】
前記エア抜き部は、前記第１配管及び前記第２配管のうちで上方に配置された温水回路を含む側の配管に接続されていることを特徴とする請求項１記載の温水制御ユニット。
【請求項３】
前記第１配管及び前記第２配管のうちで上方に配置された温水回路を含む側の配管は、前記筺体内において他方の配管より後方に配置されていることを特徴とする請求項１又は２記載の温水制御ユニット。
【請求項４】
前記第２配管が、前記エア抜き部に接続されていることを特徴とする請求項１乃至３のいずれか１項記載の温水制御ユニット。
【請求項５】
前記筺体内の温水回路は、前記第１配管に設けられた混合弁と、前記第２配管と前記混合弁とを接続するバイパス配管と、を有しており、
前記第１配管、前記第２配管及び前記バイパス配管の少なくとも一方が、エア抜き部に接続されている
ことを特徴とする請求項１乃至４のいずれか１項記載の温水制御ユニット。
【請求項６】
前記エア抜き部は、前記筺体の外部に設けられていることを特徴とする請求項１乃至５のいずれか１項記載の温水制御ユニット。
【請求項７】
前記エア抜き部は、前記筺体の上方に設けられていることを特徴とする請求項１乃至６のいずれか１項記載の温水制御ユニット。
【発明の詳細な説明】
【技術分野】
【０００１】
本発明は、ヒートポンプユニット内で加熱された温水を暖房端末に供給すると共に、暖房端末から流出した温水をヒートポンプユニット内に戻す温水回路を有する温水暖房システムの温水制御ユニットに関する。
【背景技術】
【０００２】
従来、貯湯タンクを有する温水暖房システムでは、温水制御ユニットとして、プリント基板や端子台の電装品を収納する電装品箱と、温水回路の一部を構成する配管やアクチュエータ等を収納する温水回路箱とが、貯湯タンクの側面に設置されている。
【０００３】
この温水制御ユニットの温水回路箱には、複数の継手管が設けられている。そして、この複数の継手管に、ヒートポンプユニットからの温水を温水回路箱内の配管に供給するための配管や、温水回路箱内の配管からの温水を暖房端末に供給するための配管が外部から接続される。
【０００４】
ここで、温水回路内に充填された温水に空気が含まれている場合には、この空気が、例えばポンプによるエア噛み等の原因となることがある。そこで、温水配管内の空気を、適宜、外部へ排出する必要がある。
【０００５】
従来の温水制御ユニットでは、例えば特許文献１に開示された温水制御ユニットのように、複数の継手管の少なくとも一部が温水回路箱の上端に設けられている。したがって、温水回路箱内において温水配管内の空気は、この継手管に外部から接続された配管を介して、温水回路箱の外部に移動することから、温水回路箱の外部の温水回路に設けられたエア抜き部において、容易にエア抜きできる。
【先行技術文献】
【特許文献】
【０００６】
【特許文献１】特開２００７−０１０２４１号公報
【発明の概要】
【発明が解決しようとする課題】
【０００７】
しかしながら、温水回路箱に設けられた複数の継手管の全てが、温水回路箱の下端に設けられた場合は、温水回路箱内には、温水が上向きに流れ込んで、そして、下向きに流出することになる。従って、温水回路箱内には、下方から上方に向かって延在した後で折り返され、下方に向かって延在する配管を設ける必要がある。すると、その配管内の空気は、この折り返し部分に貯留され、温水回路箱の外部に移動しなくなり、エア抜きできないという問題がある。
【０００８】
本発明の目的は、複数の継手管の全てが筺体の下端に設けられた場合でも容易にエア抜きできる温水制御ユニットを提供することである。
【課題を解決するための手段】
【０００９】
第１の発明に係る温水制御ユニットは、ヒートポンプユニット内で加熱された温水を暖房端末に供給すると共に、暖房端末から流出した温水をヒートポンプユニット内に戻す温水回路を有する温水暖房システムの温水制御ユニットであって、温水回路の一部を構成する配管を収容する筺体と、筺体の下端に配置されヒートポンプユニットからの温水を筺体内の温水回路に供給するための配管が接続される第１継手管と、筺体の下端に配置され筺体内の温水回路から暖房端末に温水を供給するための配管が接続される第２継手管と、筺体の下端に配置され暖房端末からの温水を筺体内の温水回路に供給するための配管が接続される第３継手管と、筺体の下端に配置され筺体内の温水回路からヒートポンプユニットに温水を供給するための配管が接続される第４継手管と、を備え、筺体内の温水回路は、第１継手管と第２継手管との間に配置された第１配管と、第３継手管と第４継手管との間に配置された第２配管とを有しており、第１配管及び前記第２配管の少なくとも一方がエア抜き部に接続されていることを特徴とする。
【００１０】
この温水制御ユニットでは、筺体内の配管と、ヒートポンプユニットや暖房端末に接続するための配管とを接続する継手管の全てが、筺体の下端に設けられた場合でも、筺体内の配管がエア抜き部に接続されているので、このエア抜き部から筺体内に配置された配管内の空気を容易に排出できる。
【００１１】
第２の発明に係る温水制御ユニットは、第１の発明に係る温水制御ユニットにおいて、エア抜き部は、第１配管及び第２配管のうちで上方に配置された温水回路を含む側の配管に接続されていることを特徴とする。
【００１２】
この温水制御ユニットでは、筺体内の配管のうち最も高い部分を有する配管に空気が溜まりやすいことから、その空気が溜まりやすい配管をエア抜き部に接続することで、効率良くエア抜きできる。
【００１３】
第３の発明に係る温水制御ユニットは、第１又は第２の発明に係る温水制御ユニットにおいて、第１配管および第２配管のうちで上方に配置された温水回路を含む側の配管は、筺体内において他方の配管より後方に配置されていることを特徴とする。
【００１４】
この温水制御ユニットでは、第１配管および第２配管のうちで上方に配置された温水回路を含む側の配管が他の配管より後方に配置されており、筺体内において前方に大きな空間が形成される。従って、その空間に、電装品等を配置することができる。
【００１５】
第４の発明に係る温水制御ユニットは、第１乃至第３のいずれかの発明に係る温水制御ユニットにおいて、第２配管がエア抜き部に接続されていることを特徴とする。
【００１６】
この温水制御ユニットでは、筺体内において、暖房端末から流出した温水が流れる配管内の水圧は、ヒートポンプユニットから供給された温水が流れる配管内の水圧よりも低く、空気が溜まりやすい暖房端末から流出した温水が流れる配管にエア抜き部が接続されており、効率良くエア抜きできる。
【００１７】
第５の発明に係る温水制御ユニットは、第１乃至第４のいずれかの発明に係る温水制御ユニットにおいて、筺体内の温水回路は、第１配管に設けられた混合弁と、第２配管と混合弁とを接続するバイパス配管と、を有しており、第１配管、第２配管及びバイパス配管の少なくとも一方が、エア抜き部に接続されていることを特徴とする。
【００１８】
この温水制御ユニットでは、暖房端末から流出した温水が保有する熱を有効に利用できる温水暖房システムにおいて、継手管の全てが筺体の下端に設けられた場合でも、容易にエア抜きできる。
【００１９】
第６の発明に係る温水制御ユニットは、第１乃至第５のいずれかの発明に係る温水制御ユニットにおいて、エア抜き部が筺体の外部に設けられていることを特徴とする。
【００２０】
この温水制御ユニットでは、エア抜き部が筺体の外部に設けられているため、筺体の外部において容易にエア抜きできる。
【００２１】
第７の発明に係る温水制御ユニットは、第１乃至第６のいずれかの発明に係る温水制御ユニットにおいて、エア抜き部が筺体の上方に設けられていることを特徴とする。
【００２２】
この温水制御ユニットでは、エア抜き部が筺体の上方に設けられており、配管内の空気は自発的にこのエア抜き部に向かって移動するため、より確実にエア抜きできる。
【発明の効果】
【００２３】
以上の説明に述べたように、本発明によれば、以下の効果が得られる。
【００２４】
第１の発明では、筺体内の配管と、ヒートポンプユニットや暖房端末に接続するための配管とを接続する継手管の全てが、筺体の下端に設けられた場合でも、筺体内の配管がエア抜き部に接続されているので、このエア抜き部から筺体内に配置された配管内の空気を容易に排出できる。
【００２５】
また、第２の発明では、温水制御ユニットの筺体内の配管のうち内部に空気が溜まりやすい配管にエア抜き部が設けられているため、効率良くエア抜きできる。
【００２６】
また、第３の発明では、第１配管および第２配管のうちで上方に配置された温水回路を含む側の配管が他の配管より後方に配置されており、筺体内において前方に大きな空間が形成される。従って、その空間に、電装品等を配置することができる。
【００２７】
また、第４の発明では、水圧が低く空気が溜まりやすい配管にエア抜き部が接続されているため、効率良くエア抜きできる。
【００２８】
また、第５の発明では、暖房端末から流出した温水が保有する熱を有効に利用できる温水暖房システムにおいて、継手管の全てが筺体の下端に設けられた場合でも、容易にエア抜きできる。
【００２９】
また、第６の発明では、エア抜き部が筺体の外部に設けられているため、筺体の外部において容易にエア抜きできる。
【００３０】
また、第７の発明では、エア抜き部が筺体の上方に設けられており、配管内の空気は自発的にこのエア抜き部に向かって移動するため、より確実にエア抜きできる。
【図面の簡単な説明】
【００３１】
【図１】本発明の第１実施形態に係る温水制御ユニットを備えた温水暖房システムの構成を示す模式図である。
【図２】図１の温水暖房システムに含まれる温水制御ユニットの正面視図である。
【図３】温水制御ユニットの分解図である。
【図４】温水制御ユニットの分解図である。
【図５】温水制御ユニットの分解図である。
【図６】温水制御ユニットの分解図である。
【図７】温水制御ユニットの分解図である。
【図８】温水制御ユニットの分解図である。
【図９】本発明の第２実施形態に係る温水制御ユニットの正面視図である。
【図１０】温水制御ユニットの分解図である。
【図１１】温水制御ユニットの分解図である。
【発明を実施するための形態】
【００３２】
（第１実施形態）
以下、図面に基づいて、本発明の第１実施形態に係る温水制御ユニットを備えた温水暖房システムについて説明する。図１は、本発明の第１実施形態に係る温水暖房システムの構成を示す模式図である。
【００３３】
＜温水暖房システムの構成＞
図１に示すように、温水暖房システム１００は、温水を加熱するヒートポンプユニット１と、ラジエタや床温調パネル等の暖房ユニット２（暖房端末）と、ヒートポンプユニット１と暖房ユニット２とを接続する温水回路３とを有している。この温水回路３は、ヒートポンプユニット１内で加熱された温水を暖房ユニット２に供給すると共に、この暖房ユニット２から流出した温水をヒートポンプユニット１内に戻すものである。そして、この温水回路３には、暖房ユニット２に供給される温水の流量や温度を制御するための温水制御ユニット４が含まれる。また、温水暖房システム１００は、給湯用の湯を貯留する給湯ユニット５も有している。
【００３４】
図１に示すように、ヒートポンプユニット１内で加熱された温水は、接続配管２０を介して、継手管３０６から温水制御ユニット４に供給される。そして、この温水制御ユニット４の継手管３０７から暖房ユニット２に向かって流出した温水は、接続配管２１を介して、暖房ユニット２に供給される。なお、この接続配管２１には、その内部を流れる温水を加熱するためのバックアップヒータユニット２２と、温水を給湯ユニット５に供給する際に用いられる三方弁２３とが設けられている。
【００３５】
暖房ユニット２から流出した温水は、接続配管２４を介して、継手管３０８から温水制御ユニット４に供給される。そして、温水制御ユニット４の継手管３０９からヒートポンプユニット１に向かって流出した温水は、接続配管２５を介して、ヒートポンプユニット１内に戻される。
【００３６】
また、温水制御ユニット４内には、バイパス配管３２（配管）及び混合弁３３（アクチュエータ）が設けられている。したがって、暖房ユニット２から流出した温水は、温水制御ユニット４内に流入した後、その温水の一部は、バイパス配管３２及び混合弁３３を介して、ヒートポンプユニット１から温水制御ユニット４内に流入した温水と混合される。従って、ヒートポンプユニット１内で加熱された温水は、バイパス配管３２から供給される温水と混合した後で、温水制御ユニット４から暖房ユニット２に向かって流出する。混合弁３３は、ヒートポンプユニット１内で加熱された温水に対して混合されるバイパス配管３２からの温水の量を調整することで、暖房ユニット２に供給される温水の温度を調整するために用いられる。
【００３７】
また、温水暖房システム１００では、接続配管２１に設けた三方弁２３を切り換えることによって、温水制御ユニット４から暖房ユニット２に向かって流出した温水を、給湯ユニット５に供給することができる。
【００３８】
＜温水制御ユニットの構成＞
図２は、図１の温水暖房システムに含まれる温水制御ユニットの正面視図である。温水制御ユニット４の筐体３０は、板金製の前側板３００、右側板３０１、左側板３０２、上側板３０３、下側板３０４及び後側板３０５により構成されている。
【００３９】
図３〜図８は、図２の温水制御ユニットの分解図である。図３は、前側板３００を取り外した状態を示した正面視図である。図４は、右側板３０１を取り外した状態を示した右側面視図である。図５は、左側板３０２を取り外した状態を示した左側面視図である。図６は、図３の前側板３００を取り外した状態から前面パネル３１６を取り外した状態を示した正面視図である。図７は、図６の前側板３００及び前面パネル３１６を取り外した状態から後述する電装品３８や板状部材３１２を取り外した状態を示した正面視図である。図８は、後側板３０５を取り外した状態を示した背面視図である。
【００４０】
筐体３０の下端に配置された下側板３０４には、図２〜図８に示すように、継手管３０６〜３０９、３１１が設けられている。
【００４１】
継手管３０６（第１継手管）には、ヒートポンプユニット１からの温水を筺体３０内の温水回路３に供給するための接続配管２０が外部から接続される。継手管３０７（第２継手管）には、筺体３０内の温水回路３から暖房ユニット２に向かって温水を供給するための接続配管２１が外部から接続される。
【００４２】
継手管３０８（第３継手管）には、暖房ユニット２からの温水を筺体３０内の温水回路３に供給するための接続配管２４が外部から接続される。継手管３０９（第４継手管）には、筺体３０内の温水回路３からヒートポンプユニット１に向かって温水を供給するための接続配管２５が外部から接続される。継手管３１１には、筐体３０内の温水回路３への温水の給水または温水回路３からの温水の排水に用いられる給排水配管が外部から接続される。
【００４３】
そして、継手管３０６と継手管３０７との間には、図７に示すように、接続配管３９、混合弁３３、接続配管４４、循環ポンプ３６、接続配管４０が配置されている。配管接続部Ａは、継手管３０６の上端と接続配管３９の下端との接続部を示し、配管接続部Ｂは、接続配管３９の上端と混合弁３３との接続部を示し、配管接続部Ｃは、混合弁３３と接続配管４４の右端との接続部を示している。また、配管接続部Ｄは、接続配管４４の左端と循環ポンプ３６の吸入側との接続部を示し、配管接続部Ｅは、循環ポンプ３６の吐出側と接続配管４０の右端との接続部を示し、配管接続部Ｆは、接続配管４０の左端と継手管３０７の上端との接続部を示している。
【００４４】
これにより、温水制御ユニット３の筐体３０内に継手管３０６から供給された温水は、接続配管３９、混合弁３３、接続配管４４、循環ポンプ３６、接続配管４０を介して、継手管３０７から暖房ユニット２に向かって流出する。
【００４５】
また、継手管３０８と継手管３０９との間には、図８に示すように、接続配管４１、流量センサ３７、接続配管４２、分岐配管５２、接続配管４３、分岐配管５４、接続配管４３が配置されている。配管接続部Ｇは、継手管３０８の上端と接続配管４１の下端との接続部を示し、配管接続部Ｈは、接続配管４１の上端と流量センサ３７の吸入側との接続部を示している。また、配管接続部Ｉは、流量センサ３７の吐出側と接続配管４２の右端との接続部を示し、配管接続部Ｊは、接続配管４３の下端と継手管３０９の上端との接続部を示している。
【００４６】
これにより、温水制御ユニット３の筐体３０内に継手管３０８から供給された温水は、接続配管４１、流量センサ３７、接続配管４２、分岐配管５２、接続配管５３、分岐配管５４、接続配管４３を介して、継手管３０９からヒートポンプユニット１に向かって流出する。
【００４７】
また、上述した分岐配管５２の側面には、図４に示すように、バイパス配管３２の上端が接続されており、接続配管３２の下端は、混合弁３３に接続されている。配管接続部Ｋは、バイパス配管３２の下端と混合弁３３との接続部を示している。これにより、分岐配管５２内の温水を、バイパス配管３２を介して、混合弁３３へ供給できる。
【００４８】
上述した分岐配管５４の下端には、図４に示すように、接続配管４５の上端が接続されており、接続配管４５の下端は、継手管３１１に接続されている。配管接続部Ｌは、接続配管４５の下端と継手管３１１の上端との接続部を示している。これにより、継手管３１１及び接続配管４５を介して、温水回路３内に水を給水できると共に、温水回路３から水を外部へ排水できる。
【００４９】
また、筐体３０の上端に配置された上側板３０３には、図４及び図５に示すように、継手管３１０が設けられている。継手管３１０には、エア抜き管５０が外部から接続される。従って、エア抜き管５０は、筐体３０の外部に設けられると共に、筐体３０の上方に設けられることになる。そして、継手管３０８と継手管３０９との間に配置された接続配管４２は、接続配管５５を介して継手管３１０に接続されている。配管接続部Ｍは、継手管３１０の下端と接続配管５５の上端との接続部を示している。これにより、接続配管４２に溜まった空気を、接続配管５５、継手管３１０及びエア抜き管５０を介して外部へ放出できる。
【００５０】
なお、図７に示すように、継手管３０６と継手管３０７との間に配置された接続配管４０は、配管接続部Ｆにおいて継手管３０７に接続された左端から上方に向かって延在し、その後、水平方向に折れ曲がり、さらに、下方に折れ曲がって、下方に向かって延在して、その右端が配管接続部Ｅにおいて循環ポンプ３６に接続されている。
【００５１】
また、図８に示すように、継手管３０８と継手管３０９との間に配置された接続配管４２は、配管接続部Ｉにおいて流量センサ３７に接続された右端から上方に向かって延在し、その後、水平方向に折れ曲がり、さらに、下方に折れ曲がって、下方に向かって延在して、その左端が分岐配管５２に接続されている。そして、接続配管４２の上端に設けられた水平部分における分岐部５１において、接続配管５５の下端が接続されている。
【００５２】
ここで、筐体３０において、エア抜き管５０に接続された接続配管４２の水平部分は、接続配管４０の上端に設けられた水平部分より高い位置に配置されている。また、接続配管４２の水平部分は、筐体３０内の配管（ヒートポンプユニット１と暖房ユニット２とを接続する配管であって、エア抜き管５０に接続するための接続配管５５以外の配管）のうちで最も高い位置に配置されている。さらに、接続配管４２の水平部分は、接続配管４０の水平部分より後方に配置されている。
【００５３】
なお、図８に示すように、接続配管４２の左端と分岐配管５２との接続部、分岐配管５２と接続配管５３の上端との接続部、接続配管５３の下端と分岐配管５４との接続部、分岐配管５４と接続配管４３の上端との接続部、分岐配管５４と接続配管４５の上端との接続部、接続配管４２の水平部分と分岐部５１との接続部、分岐部５１と接続配管５５の下端との接続部は、溶接で接続されている。
【００５４】
筐体３０内には、図４及び図５に示すように、板状部材３１２が配置されている。この板状部材３１２は、筐体３０の上端から下方に向かって延在するように設けられており、上方部分３１３と下方部分３１４とを有している。上方部分３１３は、筐体３０の上端から鉛直下方に向かって延在している。下方部分３１４は、上方部分３１３の下端から、下方に近付くにつれて前方に配置されるように傾斜している。板状部材３１２は、図６に示すように、筐体３０の幅方向の全域に亘って配置されている。また、上方部分３１３には、その前面から離れた位置に配置された保持板３１５ａを有する保持部材３１５が設けられている。
【００５５】
図４及び図５に示すように、筐体３０において、板状部材３１２の前方には、電装品収納部３Ａが設けられ、板状部材３１２の後方及び下方には、温水回路収納部３Ｂが設けられている。
【００５６】
電装品収納部３Ａには、前側板３００に設けられた本体リモコン３８ａに接続されたプリント基板３８ｂ及び端子台３８ｃ等が収容されている。プリント基板３８ｂは、図６に示すように、保持板３１５ａの表面及び裏面に配置されている。なお、保持板３１５ａの裏面に配置されたプリント基板は図示していない。また、端子台３８ｃは、図６に示すように、下方部分３１４の表面に設置されている。
【００５７】
温水回路収納部３Ｂには、図３〜図８に示すように、上述したバイパス配管３２、混合弁３３、循環ポンプ３６、流量センサ３７及び接続配管３９〜４５、５３、５５（配管）等の温水回路が収容されている。バイパス配管３２や接続配管３９〜４５、５３、５５は、温水回路３の一部を構成するものである。また、図３に示すように、筐体３０内に配置されたバイパス配管３２や接続配管は、混合弁３３及び循環ポンプ３６の前方に配置されていない。
【００５８】
上述したように、電装品収納部３Ａと温水回路収納部３Ｂとは、板状部材３１２によって仕切られている。従って、プリント基板３８ｂ及び端子台３８ｃ等の電装品３８と、全ての配管接続部Ａ〜Ｍとの間には、板状部材３１２が配置されていることから、板状部材３１２によって仕切られていることになる。
【００５９】
［第１実施形態の温水制御ユニットの特徴］
以上、第１実施形態の温水制御ユニットでは、筺体３０内の配管と、ヒートポンプユニット２や暖房ユニット３に接続するための配管とを接続する継手管３０６〜３０９の全てが、筺体３０の下端に設けられているが、筺体３０内の接続配管４１がエア抜き部５０に接続されているので、このエア抜き部５０から筺体３０内に配置された配管内の空気を容易に排出できる。
【００６０】
また、この温水制御ユニット４では、接続配管４１が筺体３０内の温水が流れる配管のうち最も高い部分を有し、筺体３０内の配管のうち配管内に最も空気が溜まり易いため、接続配管４１にエア抜き管５０を接続することで、効率良くエア抜きできる。
【００６１】
また、この温水制御ユニット４では、配管内に最も空気が溜まりやすい接続配管４１が筺体３０内の他の配管より後方に配置されているため、電装品３８を前方に配置することで、筺体３０内に電装品３８を収容しつつ容易にエア抜きできる。
【００６２】
また、ラジエタ４または給湯タンク５から流出した温水が流れる接続配管４１内の水圧が、他の筺体３０内の配管内の水圧より低く、その配管内に空気が溜まりやすいことから、この接続配管４１にエア抜き管５０を接続することで、効率良くエア抜きできる。
【００６３】
また、この温水制御ユニット４では、エア抜き管５０が筺体３０の外部に設けられているため、筺体３０の外部において容易にエア抜きできる。
【００６４】
また、この温水制御ユニット４では、エア抜き管５０が筺体の上方に設けられているため、筺体３０内の配管に溜まった空気が自発的にエア抜き管５０に向かって移動するため、より確実にエア抜きできる。
【００６５】
（第２実施形態）
以下、図面に基づいて、本発明の第２実施形態に係る温水制御ユニットについて説明する。図９は、温水制御ユニットの正面視図である。図１０及び図１１は、図９の温水制御ユニットの分解図である。なお、第１実施形態で説明した要素と同一の要素については同じ符号を付し、詳細な説明を省略する。
【００６６】
図１０は、図９の筐体から前側板を取り外した状態を示した正面視図である。図１１は、図９の筐体から左側板を取り外した状態を示した左側面視図である。図１０に示すように、第１実施形態の板状部材３１２に対応する板状部材１３１２が、筐体３０の幅方向の一部（中央より右側）に配置されている。また、板状部材１３１２の左端には、その一部として、左側板１３１２ａが形成されている。
【００６７】
図１０及び図１１に示すように、板状部材１３１２の前方には、電装品収納部１０３Ａが配置されており、板状部材１３１２の左方、後方及び下方には、温水回路収納部１０３Ｂが配置されている。そして、電装品収納部１０３Ａの内部には、本体リモコン３８ａや端子台３８ｃ等の電装品３８が収容されており、板状部材１３１２の前方に配置されている。また、温水回路収納部１０３Ｂの内部には、バイパス配管３２や混合弁３３等のアキュムレータや、各接続配管が収容されており、板状部材１３１２の左方、後方及び下方に配置されている。
【００６８】
この実施形態では、継手管３０６と継手管３０７との間に配置された接続配管１４０が、接続配管１５５を介して、エア抜き管５０が外部から接続された継手管３１０に接続されている。筐体３０において、エア抜き管５０に接続された接続配管１４０の水平部分は、継手管３０８と継手管３０９との間に配置された接続配管１４２の上端に設けられた水平部分より高い位置に配置されている。また、接続配管１４０の水平部分は、筐体３０内の配管（ヒートポンプユニット１と暖房ユニット２とを接続する配管であって、エア抜き管５０に接続するための接続配管１５５以外の配管）のうちで最も高い位置に配置されている。さらに、接続配管１４０の水平部分は、接続配管１４２の水平部分より前方に配置されている。
【００６９】
図１０及び図１１に示すように、電装品収納部１０３Ａと温水回路収納部１０３Ｂとは、板状部材１３１２によって仕切られている。従って、本体リモコン３８ａや端子台３８ｃ等の電装品３８と、全ての配管接続部Ａ〜Ｍとの間には、板状部材１３１２が配置されていることから、板状部材１３１２によって仕切られていることになる。
【００７０】
［第２実施形態の温水制御ユニットの特徴］
以上、第２実施形態の温水制御ユニットでは、筺体３０内の配管と、ヒートポンプユニット２や暖房ユニット３に接続するための配管とを接続する継手管３０６〜３０９の全てが、筺体３０の下端に設けられているが、筺体３０内の接続配管１４０がエア抜き部５０に接続されているので、このエア抜き部５０から筺体３０内に配置された配管内の空気を容易に排出できる。
【００７１】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味及び範囲内でのすべての変更が含まれる。
【００７２】
上記実施形態では、継手管３０８と継手管３０９との間に配置された配管である接続配管４２がエア抜き管５０に接続されていたが、これに限定されず、例えば、継手管３０６と継手管３０７との間に配置された配管である接続配管４０がエア抜き管５０に接続されてもよいし、バイパス配管３２がエア抜き管５０に接続されてもよい。また、継手管３０８と継手管３０９との間に配置された配管であり且つ接続配管４２以外の配管がエア抜き管５０に接続されてもよいし、継手管３０６と継手管３０７との間に配置された配管であり且つ接続配管４０以外の配管がエア抜き管５０に接続されてもよい。また、継手管３０８と継手管３０９との間に配置された配管及び継手管３０６と継手管３０７との間に配置された配管の双方がそれぞれ別々に設けられたエア抜き管に接続されてもよいし、継手管３０８と継手管３０９との間に配置された配管、継手管３０６と継手管３０７との間に配置された配管及びバイパス配管３２のうちの２つ又は３つがそれぞれ別々に設けられたエア抜き管に接続されてもよい。
【００７３】
また、上記実施形態では、エア抜き管５０が、筺体３０の外部であって且つ筺体３０の上方に設けられているが、エア抜き管５０の位置は変更できる。したがって、エア抜き管５０は、筺体３０の内部に設けてもよいし、筺体３０側方に設けてもよい。
【００７４】
また、上記実施形態では、温水回路がバイパス配管３２および混合弁３３を有しているが、これに限定されず、温水回路はバイパス配管３２および混合弁３３を有してなくてもよい。
【００７５】
上述した第１及び第２実施形態では、温水回路が、給湯ユニット及びバックアップヒータユニットを有している例について述べたが、本発明はこれに限定されず、温水回路は、給湯ユニットやバックアップヒータユニットを有していなくてよい。
【産業上の利用可能性】
【００７６】
本発明を利用すれば、継手管をすべて筺体の下端に設けた温水制御ユニットにおいて筺体内部に設けられた配管内に溜まった空気を、容易に外部に排出することができる。
【符号の説明】
【００７７】
１  ヒートポンプシステム
２  温水回路
３  ハイドロユニット（温水制御ユニット）
４  ラジエタ（暖房端末）
５  給湯タンク（暖房端末）
２０，２１  供給配管
２５，２６  戻り配管
３０  筐体
３２  バイパス配管
３３  混合弁
３６  循環ポンプ（ポンプ）
３９，４０，４４  接続配管（第１配管）
４１，４２  接続配管（第２配管）
５０  エア抜き管（エア抜き部）
５１〜５３  配管接続部
３０６  継手管（第１継手管）
３０７  継手管（第２継手管）
３０８  継手管（第３継手管）
３０９  継手管（第４継手管）
【図１】
2011137604.tif 000003
【図２】
2011137604.tif 000004
【図３】
2011137604.tif 000005
【図４】
2011137604.tif 000006
【図５】
2011137604.tif 000007
【図６】
2011137604.tif 000008
【図７】
2011137604.tif 000009
【図８】
2011137604.tif 000010
【図９】
2011137604.tif 000011
【図１０】
2011137604.tif 000012
【図１１】
2011137604.tif 000013